(57)【要約】【課題】意匠性をできるだけ損なわず、指向性を向上させる。【解決手段】吹出開口30の内周表面のうちフィン４の長手方向と平行な特定表面31を、パネル２の表面と60°以上の角度で交差させた。  車室の前後方向に対するパネル２の角度が小さい意匠であっても、コアンダ現象が防止されるので、吹出開口30から吹き出す風の指向性が向上する。【選択図】  図２
2006327456.tif 000002
【特許請求の範囲】
【請求項１】
吹出開口と空気流路を形成する筒状のリテーナと、該リテーナ内に配置されたフィンとを備え、該リテーナがパネルに固定されて用いられる空調用レジスタにおいて、
該吹出開口の内周表面のうち該フィンの長手方向と平行な特定表面は、該特定表面から延びる該パネルの表面と60°以上の角度で交差していることを特徴とする空調用レジスタ。
【請求項２】
前記特定表面と、前記特定表面から延びる前記パネルの表面との間には、さらに段差を有する請求項１に記載の空調用レジスタ。
【請求項３】
吹出開口と空気流路を形成する筒状のリテーナと、該リテーナ内に配置されたフィンとを備え、該リテーナがパネルに固定されて用いられる空調用レジスタにおいて、
該吹出開口の内周表面のうち該フィンの長手方向と平行な特定表面と、該特定表面から延びる該パネルの表面との間には、段差を有することを特徴とする空調用レジスタ。
【発明の詳細な説明】
【技術分野】
【０００１】
本発明は、自動車室内などに設けられ、温風又は冷風を吹き出す空調用レジスタの構造の改良に関する。
【背景技術】
【０００２】
自動車のインストルメントパネル、センタークラスタなどのパネルには、空調装置からの温冷風を吹き出す開口部としてのレジスタが設けられている。このレジスタは、空気流路及び吹出開口を形成する筒状のリテーナと、リテーナ内に揺動自在に配置された互いに平行な複数の水平フィン及び垂直フィンと、ノブなど水平フィン又は垂直フィンを揺動させてリテーナに対する角度を可変することで送風方向を可変する可変手段とからなり、一般に手動により可変手段を駆動して水平フィン又は垂直フィンの角度を調節することで送風方向を調節可能とされている。
【０００３】
ところで近年、車室の前後方向に対する上記パネルの角度が小さな意匠が好まれ、レジスタの吹出開口の角度もそれに合わせる必要がある。ところがそうすると、例えば水平方向に向けて送風しようとすると、風速が大きい場合などに吹出開口の下部に負圧域が発生する。そのため図６に示すように、吹出開口30から吹き出す風がパネル２の表面に沿って流れるコアンダ現象が起きやすくなり、指向性が低下するという問題がある。
【０００４】
そこで例えば実開平05−016525号公報には、吹出開口の下部のパネルに表裏を貫通する空気抜き孔を形成することが提案されている。このように空気抜き孔を形成することで、負圧域が発生しても空気抜き孔から空気が供給され負圧が解消されるので、コアンダ現象の発生を防止することができる。
【０００５】
また特開平11−118233号公報には、吹出開口で対向する一対の流路壁の曲率半径とフィンの曲率半径とを特定の比率とした吹出口構造が提案されている。そして、このような構造とすることでコアンダ現象の発生が防止され、吹出開口の周囲が汚れるのを防止できることが記載されている。
【特許文献１】実開平05−016525号
【特許文献２】特開平11−118233号
【発明の開示】
【発明が解決しようとする課題】
【０００６】
ところが特許文献１に記載の構造では、空気抜き孔によってパネルの意匠が損なわれるという不具合がある。また特許文献２に記載の構造では、吹出開口及びフィンの形状の自由度が低下し、意匠性が低下するという不具合がある。
【０００７】
本発明は、特許文献１又は特許文献２と同様の課題を解決するものであるが、意匠性をできるだけ損なわず、コアンダ現象の発生を防止することを解決すべき課題とする。
【課題を解決するための手段】
【０００８】
上記課題を解決する本発明の空調用レジスタの特徴は、吹出開口と空気流路を形成する筒状のリテーナと、リテーナ内に配置されたフィンとを備え、リテーナがパネルに固定されて用いられる空調用レジスタにおいて、吹出開口の内周表面のうちフィンの長手方向と平行な特定表面は、特定表面から延びるパネルの表面と60°以上の角度で交差していることにある。
【０００９】
この空調用レジスタにおいては、特定表面と、特定表面から延びるパネルの表面との間には、さらに段差を有することが望ましい。
【００１０】
またもう一つの発明の空調用レジスタの特徴は、吹出開口と空気流路を形成する筒状のリテーナと、リテーナ内に配置されたフィンとを備え、リテーナがパネルに固定されて用いられる空調用レジスタにおいて、吹出開口の内周表面のうちフィンの長手方向と平行な特定表面と、特定表面から延びるパネルの表面との間には、段差を有することにある。
【発明の効果】
【００１１】
本発明の空調用レジスタによれば、車室の前後方向に対するパネルの角度が小さい意匠であっても、コアンダ現象が防止されているので吹出開口から吹き出す風の指向性が向上する。したがって、高い意匠性と高い指向性とを両立させることができる。
【発明を実施するための最良の形態】
【００１２】
本発明の空調用レジスタは、吹出開口と空気流路を形成する筒状のリテーナと、リテーナ内に配置されたフィンとを備え、リテーナがパネルに固定されて用いられる。フィンはリテーナに固定されていてもよいが、揺動可能にリテーナに保持されていることが望ましい。これにより風向の調整が可能となる。また水平フィン及び垂直フィンの一方のみでもよいが、両方を備えることが望ましい。
【００１３】
パネルとしては、インストルメントパネル、センタークラスタ、ドアトリム、コンソールボックスの壁などがあり、特に制限されない。リテーナは、パネルに形成された開口に吹出開口が表出するように、パネルに固定される。
【００１４】
本発明の一つの特徴は、吹出開口の内周表面のうちフィンの長手方向と平行な特定表面は、特定表面から延びるパネルの表面と60°以上の角度で交差していることにある。この交差角度が60°未満では、コアンダ現象が発生するようになる。
【００１５】
特定表面をパネルの表面と60°以上の角度で交差するように形成するには、リテーナの吹出開口近傍の内周表面自体の角度を調整してもよいし、別部材をリテーナの吹出開口近傍の内周表面に固定してもよい。この場合、別部材として固定フィンを用いることも可能である。
【００１６】
特定表面は、リテーナの吹出開口近傍の内周表面のうちどこにあってもよい。例えば底壁表面に特定表面を形成すれば、水平フィンで向きが調整された風が、コアンダ現象によって吹き出し開口の下方にあるパネル表面に沿うように流れるのを防止することができる。また側壁表面に特定表面を形成すれば、垂直フィンで向きが調整された風が、コアンダ現象によって吹き出し開口の側方にあるパネル表面に沿うように流れるのを防止することができる。
【００１７】
また本発明のもう一つの特徴は、特定表面と、特定表面から延びるパネルの表面との間には、段差を有することにある。この段差は、高さが８mm以上であることが好ましく、10mm以上であることがさらに望ましい。高さが８mmより低いと、風速が大きい場合にコアンダ現象が生じ易くなる。この場合、特定表面とパネル表面とは、段差部を構成する平面を介して連続していてもよいし、段差部が空洞であってもよい。なお、この段差の高さとは、鉛直方向の高さをいう。
【００１８】
特定表面は、特定表面から延びるパネルの表面と60°以上の角度で交差するとともに、段差を有することが特に望ましい。このようにすることで、コアンダ現象の発生をさらに防止することができる。したがって段差の高さを低くすることも可能となり、意匠の自由度が向上する。
【実施例】
【００１９】
以下、実施例及び比較例により本発明を具体的に説明する。
【００２０】
（実施例１）
本発明の一実施例の空調用レジスタを図１〜３に示す。このレジスタ１は図１のようにインストルメントパネル２に設けられる。
【００２１】
レジスタ１は、吹出開口30をもつ角筒状のリテーナ３と、吹出開口30に近接した位置でリテーナ３内に揺動可能に保持された複数の水平フィン４と、水平フィン４より上流側でリテーナ３内に揺動可能に保持された複数の垂直フィン５と、垂直フィン５より上流側でリテーナ３内に揺動可能に保持されたダンパ６と、から構成されている。
【００２２】
複数の水平フィン４は、それぞれ図示しない連結棒に回動自在に保持され、全ての水平フィン４が同期して上下方向に揺動可能とされている。また複数の垂直フィン５も、それぞれ図示しない連結棒に回動自在に保持され、全ての垂直フィン５が同期して左右方向に揺動可能とされている。
【００２３】
水平フィン４には、垂直フィン５と係合するスライドノブ40がスライド自在に保持され、スライドノブ40を水平フィン４に沿って左右にスライド移動することで、垂直フィン５が左右に揺動可能となっている。またスライドノブ40を上下に移動させることで、水平フィン４が上下に揺動可能となっている。
【００２４】
またリテーナ３の意匠表面からは、吹出開口30に隣接してダンパノブ60が回動自在に表出し、ダンパノブ60を回動することで図示しないリンク機構によってダンパ６がリテーナ３を開閉可能とされている。
【００２５】
さて本実施例のレジスタでは、吹出開口30の内周表面のうち底壁表面31は、吹出開口30の開口端へ向かうにつれて内側（上方）に傾斜している。図３に拡大して示すように、この底壁表面31と、吹出開口30の下側から延びるインストルメントパネル２の表面との成す角度（θ）は60°となっている。すなわち底壁表面31は、本発明にいう水平フィン４の長手方向と平行な特定表面を構成している。
【００２６】
また底壁表面31と、吹出開口30の下側に連続するインストルメントパネル２の表面との間には凹溝32が形成され、底壁表面31の先端とインストルメントパネル２の表面との間には高さ（ｔ）が８mmの段差が形成されている。
【００２７】
したがって本実施例のレジスタによれば、例えば水平フィン４が水平状態で吹出開口30から強く吹き出された空調用空気は、傾斜する底壁表面31によって上方へ案内されるので、コアンダ現象によって下側に連続するインストルメントパネル２の表面に沿って流れるような不具合が生じず、指向性に優れている。
【００２８】
（実施例２）
本実施例の空調用レジスタを図４に示す。このレジスタは、凹溝32をもたず、底壁表面31とその下側から延びるインストルメントパネル２の表面とは段差無く連続していること以外は実施例１と同様である。
【００２９】
本実施例のレジスタでは、段差は無いものの、底壁表面31とインストルメントパネル２の表面との成す角度（θ）が60°である。したがって水平フィン４が水平状態で吹出開口30から強く吹き出された空調用空気は、傾斜する底壁表面31によって上方へ案内されるので、コアンダ現象によって下側から延びるインストルメントパネル２の表面に沿って流れるような不具合が生じず指向性に優れている。
【００３０】
（実施例３）
本実施例の空調用レジスタを図５に示す。このレジスタは、底壁表面31と、吹出開口30の下側に連続するインストルメントパネル２の表面との成す角度（θ）は30°と実施例１より小さいものの、吹出開口30の下側に連続するインストルメントパネル２の表面は、高さ（ｔ）が８mmの段差部33を介して底壁表面31と連続している。他の構成は実施例１と同様である。したがって水平フィン４が水平状態で吹出開口30から強く吹き出された空調用空気は、段差部33によってインストルメントパネル２の表面と分離されるので、コアンダ現象によって下側から延びるインストルメントパネル２の表面に沿って流れるような不具合が生じず、指向性に優れている。
【００３１】
（従来例）
従来の空調用レジスタを図６に示す。このレジスタは、凹溝32をもたず、底壁表面31とその下側に連続するインストルメントパネル２の表面とは段差無く連続し、かつ底壁表面31と、底壁表面31の下側に連続するインストルメントパネル２の表面との成す角度（θ）が30°と小さいこと以外は実施例１と同様に構成されている。
【００３２】
このレジスタでは、例えば水平フィン４が水平状態で吹出開口30から強く吹き出された空調用空気は、矢印で示すようにコアンダ現象によってインストルメントパネル２の表面に沿って流れるものを含むので、指向性が低い。
【００３３】
＜試験例＞
実施例１及び従来例のレジスタについて、水平フィン４の水平位置からの傾斜角度（振角）を種々変化させ、風を 120m3／hrで吹き出した時の風向き（指向角）を測定した。結果を図７に示す。図７には理想値も示している。
【００３４】
図７から、従来例のレジスタでは、水平フィン４の振角が０°〜−10°における風向きが理想値から大きくずれているのに対し、実施例１のレジスタでは振角が０°〜−10°における理想値とのずれが小さいことがわかる。これはコアンダ現象が防止されたことに起因することが明らかである。
【産業上の利用可能性】
【００３５】
本発明の空調用レジスタは、水平方向に対する吹出開口の傾斜角度が小さくなるようにパネルに組付けられるレジスタに特に有用である。
【図面の簡単な説明】
【００３６】
【図１】本発明の一実施例のレジスタを備えたインストルメントパネルの要部斜視図である。
【図２】本発明の一実施例のレジスタを備えたインストルメントパネルの要部断面図である。
【図３】図２の要部拡大図である。
【図４】本発明の第２の実施例のレジスタを備えたインストルメントパネルの要部断面図である。
【図５】本発明の第３の実施例のレジスタを備えたインストルメントパネルの要部断面図である。
【図６】従来のレジスタを備えたインストルメントパネルの要部断面図である。
【図７】水平フィンの振角と風向き（指向角）との関係を示すグラフである。
【符号の説明】
【００３７】
１：レジスタ      ２：インストルメントパネル    ３：リテーナ
４：水平フィン    ５：垂直フィン                ６：ダンパ
30：吹出開口      31：底壁表面（特定表面）      32：凹溝
【図１】
2006327456.tif 000003
【図２】
2006327456.tif 000004
【図３】
2006327456.tif 000005
【図４】
2006327456.tif 000006
【図５】
2006327456.tif 000007
【図６】
2006327456.tif 000008
【図７】
2006327456.tif 000009